(57)【特許請求の範囲】
【請求項１】
−  第１の波長領域の光を発する固体光源と、
−  前記固体光源によって発せられた前記第１の波長領域の光を受け取り、前記第１の波長領域の光を第２の波長領域の可視光に変換可能な波長変換部材と、
−  前記第２の波長領域の光を受け取る為に前記波長変換部材から光出力方向に配置された狭帯域反射器であって、前記狭帯域反射器が前記第２の波長領域の第１のサブレンジを反射する第１の状態と、前記狭帯域反射器が前記第２の波長領域の第２のサブレンジを反射する第２の状態との間で可逆的に切り替え可能である、前記狭帯域反射器と、
を含む、色調整可能な発光装置。
【請求項２】
前記第１の状態において、及び任意選択的に前記第２の状態においても、前記狭帯域反射器は、１００ｎｍ以下の反射帯域幅を持つ、請求項１に記載の発光装置。
【請求項３】
前記狭帯域反射器は、種々異なる反射特性を有する複数の領域を含む、請求項１に記載の発光装置。
【請求項４】
前記狭帯域反射器は、種々異なる反射特性を有する複数の面内領域を含み、前記狭帯域反射器は、少なくとも２つの面内領域が前記固体光源によって発せられた光を同時に受け取ることができる、請求項１に記載の発光装置。
【請求項５】
前記狭帯域反射器は、光出力方向において前記波長変換部材からの光路内に、種々異なる反射特性を有する少なくとも２つの狭帯域反射器又は狭帯域反射層を含む、請求項１に記載の発光装置。
【請求項６】
前記少なくとも２つの狭帯域反射器又は狭帯域反射層は、第１の状態と第２の状態との間で独立して切り替え可能である、請求項５に記載の発光装置。
【請求項７】
前記狭帯域反射器は、前記波長変換部材に対して前記複数の領域のうちの少なくとも１つの領域の位置を変化させることによって、前記第１の状態と前記第２の状態との間で機械的に切り替え可能である、請求項３に記載の発光装置。
【請求項８】
前記狭帯域反射器又は前記狭帯域反射器の領域の反射特性は、前記狭帯域反射器が前記第１の状態と前記第２の状態との間で電気的に切り替え可能であるように、電界の印加によって調整可能である、請求項１に記載の発光装置。
【請求項９】
前記狭帯域反射器は、電気的に制御可能な液晶セルを含む、請求項８に記載の発光装置。
【請求項１０】
前記狭帯域反射器は、電気的に制御可能な薄膜ロールブラインドを含む、請求項８に記載の発光装置。
【請求項１１】
前記狭帯域反射器は、電気的に制御可能なエレクトロクロミック層を含む、請求項８に記載の発光装置。
【請求項１２】
前記狭帯域反射器によって送られた光のスペクトル組成を検出し、前記第１の状態と前記第２の状態との間で前記狭帯域反射器の前記切り替えを電気的に制御するための制御装置に接続される光センサを更に含む、請求項１に記載の発光装置。
【請求項１３】
前記発光装置の外で、光のスペクトル組成を検出し、前記第１の状態と前記第２の状態との間での前記狭帯域反射器の前記切り替えを電気的に制御するための制御装置に接続された光センサを更に含む、請求項１に記載の発光装置。
【発明の詳細な説明】
【技術分野】
【０００１】
本発明は、スペクトル調整可能な光出力を持つ固体光源をベースとした装置に関する。
【背景技術】
【０００２】
小売又は見本市等の多くの場合、例えば生鮮食品等の品物を魅力的に提示することが望ましい。照明に関しては、これは、通常、品物の色が増強されるべきであることを意味する。
【０００３】
従来、超高圧ナトリウムランプ（例えばＳＤＷ−Ｔランプ）又は特殊な蛍光灯等の小型高輝度放電ランプが、この目的の為に使用される。より広い連続スペクトルを示す光源の場合、必要とされるスペクトルを得る為に、追加フィルタが使用されることが多いが、低システム効果の原因となる。これらの従来の光源の更なる欠点は、比較的低い効果及び短い寿命である。
【０００４】
上記の欠点を克服する為に、発光ダイオード（ＬＥＤ:light emitting diode）をベースとした解決策を原則として使用することができる。種々異なるスペクトル出力を有する発光ダイオード（ＬＥＤ）を所望の割合で組み合わせることによって（例えば、青色、緑色、琥珀色、及び赤色）、特定の色の飽和度を生み出す全スペクトル出力を得ることができる。しかしながら、所望の発光極大を有するＬＥＤを製造することは難しい。現在のＬＥＤをベースとした解決策の他の欠点は、種々異なる色のＬＥＤの使用による複雑なビニング（選別）問題に起因するシステムの低効率及び複雑性である。更に、カラーポイントの安定性を維持する為には、特に赤色ＬＥＤが電流及び温度と共に出力スペクトルの激しい変化を示すので、複雑な制御システムが必要とされる。その結果、ランプのコストが高額である。
【０００５】
一般的なライティング用途では、種々異なる色のＬＥＤを有するシステムの幾つかの欠点は、青色ＬＥＤのみを使用し、白色光出力を得る為の波長変換材料（蛍光体とも呼ばれる）による青色光の一部の変換によって、克服することができる。しかしながら、特殊照明用途に関する多くの青色光変換蛍光体の欠点は、それらが一般的に広い発光スペクトルを示し、従って、色の高飽和度を達成することができないことである。
【０００６】
更に、上記の公知のシステムは、１色又は最大で数色の増強に適し得る所定の光スペクトルを提供する。小売環境では、あらゆる対象物の最適照明は、通常、多くの種々異なるスペクトル組成を必要とする。例えば、果物及び野菜の照明の場合、緑色が増強された（緑がかった）白色光が望ましく、チーズ及び肉の場合、黄色が増強された及び赤色が増強された白色光がそれぞれ望ましい。更に、魚の照明の場合、寒白色光が好まれるのに対して、パンの場合は、暖白色光が最も視覚的に魅力的な印象を与える。現在、この様な種々異なる色の品物の最適照明に使用することのできる単一システムは存在しない。
【０００７】
米国特許出願公開第２０１１／０１７６０９１号は、可変の色出力を有するデバイスを開示する。このデバイスは、ライトチャンバ内に配置されたＬＥＤ、発光素子（蛍光体）、並びにそれによって発光光のカラーポイント及び相関色温度が変更され得る電気的可変散乱素子を含む。このデバイスは、寒白色光又は暖白色光を発するように調整され得る。しかしながら、米国特許出願公開第２０１１／０１７６０９１号の開示にもかかわらず、当該分野において、改善された色調整可能なデバイスに対する需要が依然として存在する。
【発明の概要】
【発明が解決しようとする課題】
【０００８】
本発明の目的は、この問題を克服すること、及び様々な色を増強可能な、望ましい出力光スペクトルを生成するように簡単に構成することができる発光装置を提供することである。
【課題を解決するための手段】
【０００９】
本発明の第１の態様によれば、本目的及び他の目的は、
−  第１の波長領域の光を発するように構成された固体光源と、
−  光源によって発せられた前記第１の波長領域の光を受け取るように配置され、第１の波長領域の光を第２の波長領域の可視光に変換可能な波長変換部材と、
−  前記第２の波長領域の光を受け取る為に波長変換部材から光出力方向に配置された狭帯域反射器であって、前記狭帯域反射器が前記第２の波長領域の第１のサブレンジを反射する第１の状態と、狭帯域反射器が異なる光学特性を有する第２の状態との間で可逆的に切り替え可能である、狭帯域反射器と、
を含む色調整可能な発光装置によって達成される。光学特性は、通常、反射特性である。
【００１０】
本発明の発光装置のスペクトル出力は、意図された用途、例えば、照明される対象物に関して所望通りに簡単に調整することができる。従って、どの様な色の増強又は抑制も達成及び制御することができる。通常、第２の波長領域は、可視光スペクトル（４００〜８００ｎｍ）を表す。
【００１１】
ある実施形態では、第２の状態における狭帯域反射器は、第２の波長領域の全ての波長の光を透過する。他の実施形態では、第２の状態において、狭帯域反射器は、第２の波長領域の第２のサブレンジを反射する。通常、前記第１のサブレンジ及び前記第２のサブレンジは、互いに異なる。好ましくは、第１及び第２のサブレンジは、重なり合わない。前記第１の状態における及び任意選択的に又前記第２の状態における狭帯域反射器の反射帯域幅（即ち、サブレンジＲ１及び任意選択的に又サブレンジＲ２の幅）は、１００ｎｍ以下でも、好ましくは５０ｎｍ以下でも良い。従って、光出力スペクトルの非常に細かい調整が可能である。
【００１２】
ある実施形態では、狭帯域反射器は、種々異なる反射特性を有する複数の領域を含んでも良い。例えば、狭帯域反射器は、種々異なる反射特性を有する複数の面内領域を含んでも良く、狭帯域反射器は、少なくとも２つの面内領域が固体光源によって発せられた光を同時に受け取ることができるように配置されても良い。他の実施形態では、狭帯域反射器は、光出力方向において波長変換部材からの光路に配置された、種々異なる反射特性を有する少なくとも２つの狭帯域反射器又は狭帯域反射層を含んでも良い。少なくとも２つの狭帯域反射器又は狭帯域反射層はそれぞれ、第１の状態と第２の状態との間で個々に切り替え可能でも良い。これらの実施形態の全ては、潜在的出力スペクトルの数を増加させ、従って、色調整可能な発光装置の適応性及び多用途性を高める。
【００１３】
本発明の実施形態において、狭帯域反射器は、波長変換部材に対して前記領域の少なくとも１つの位置を変化させることによって、前記第１の状態と前記第２の状態との間で機械的に切り替え可能でも良い。代替的に、他の実施形態では、狭帯域反射器又はその領域の反射特性は、狭帯域反射器が前記第１の状態と前記第２の状態との間で電気的に切り替え可能であるように、電界の印加によって調整可能でも良い。例えば、電気的に切り替え可能な狭帯域反射器は、電気的に制御可能な液晶セル、電気的に制御可能な薄膜ロールブラインド、及び／又は電気的に制御可能なエレクトロクロミック層を含んでも良い。
【００１４】
一部の実施形態では、発光装置は、光出力方向において狭帯域反射器からの光路に配置された拡散器又は角度を付けた拡散反射器を更に含む。拡散器は、出力光の配光及び均一性を向上させ得る。拡散器は、上記の様な電気的に切り替え可能な狭帯域反射器と組み合わせると特に有利となり得る。
【００１５】
更なる実施形態では、発光装置は、光出力方向において狭帯域反射器からの光路に配置された光混合室を含み得る。光混合室は、光の再生利用をもたらし、配光及び均一性を更に向上させ得る。
【００１６】
一部の実施形態では、発光装置は、狭帯域反射器によって送られた光のスペクトル組成を検出するように配置された光センサを更に含み得る。光センサは、通常、前記第１の状態と前記第２の状態との間の狭帯域反射器の前記切り替えを電気的に制御する為の制御装置に接続される。従って、狭帯域反射器は、出力光の所定の望ましいスペクトル組成を提供するように自動的に調整され得る。代替的又は追加的に、一部の実施形態では、発光装置は、発光装置の外で、光のスペクトル組成を検出するように配置され、前記第１の状態と前記第２の状態との間の狭帯域反射器の前記切り替えを電気的に制御する為の制御装置に接続された光センサを含み得る。その結果、狭帯域反射器が、従って出力光が、照明される対象物の反射特性に基づいて自動的に調整され得る。
【００１７】
別の態様では、本発明は、本明細書に記載した様な発光装置を含む照明器具に関する。
【００１８】
本発明は、クレームに記載された特徴の全ての可能な組み合わせに関することに留意されたい。
【００１９】
以下、本発明のこの態様及び他の態様が、本発明の実施形態を示す添付の図面を参照して、より詳細に説明される。
【図面の簡単な説明】
【００２０】
【図１ａ−ｂ】本発明による色調整可能な発光装置（側面図）の一般概念を示す。
【図２ａ−ｃ】図１ａ〜ｂに示された通りの光Ｌ１、Ｌ２、Ｌ３及びＲ１に関する種々異なる波長における光強度例を示すグラフである。
【図３ａ−ｃ】図１ａ〜ｂに示された通りの光Ｌ１、Ｌ２、Ｌ４及びＲ２に関する種々異なる波長における光強度例を示すグラフである。
【図４ａ−ｂ】機械的に切り替え可能な狭帯域反射器を含む実施形態の概略側面図を示す。
【図５ａ−ｂ】電気的に切り替え可能な狭帯域反射器を含む実施形態の概略側面図を示す。
【図６】機械的に切り替え可能な狭帯域反射器を含む別の実施形態の概略側面図を示す。
【図７】機械的に切り替え可能な狭帯域反射器を含む別の実施形態の概略斜視図を示す。
【図８】機械的に切り替え可能な狭帯域反射器を含む別の実施形態の概略側面図を示す。
【図９】機械的に切り替え可能な狭帯域反射器を含む別の実施形態の概略側面図を示す。
【図１０】機械的に切り替え可能な狭帯域反射器を含む別の実施形態の概略側面図を示す。
【図１１】電気的に切り替え可能な狭帯域反射器を含む別の実施形態の概略側面図を示す。
【図１２】電気的に切り替え可能な狭帯域反射器を含む別の実施形態の概略側面図を示す。
【図１３ａ−ｂ】電気的に制御可能なロールアップブラインドの形の電気的に切り替え可能な狭帯域反射器を含む別の実施形態の概略側面図を示す。
【図１４】電気的に切り替え可能な狭帯域反射器及び拡散器を含む実施形態の概略側面図を示す。
【図１５】電気的に切り替え可能な狭帯域反射器、光混合室及び拡散器を含む実施形態の概略断面側面図を示す。
【図１６】電気的に切り替え可能な狭帯域反射器及び角度を付けた拡散反射器を含む実施形態の概略側面図を示す。
【図１７】電気的に切り替え可能な狭帯域反射器及び制御装置を介して電気的に切り替え可能な狭帯域反射器に接続された光センサを含む実施形態の概略断面側面図を示す。
【発明を実施するための形態】
【００２１】
図面に示される様に、層及び領域の大きさは、例示を目的として誇張されており、従って、本発明の実施形態の一般構造を示す為に提供されるものである。全体を通して、同様の参照符号は同様の要素を指す。
【００２２】
以下、本発明の現在好適な実施形態が示される添付の図面を参照して、本発明は、以下により完全に説明される。しかしながら、本発明は、多くの種々異なる形で実施されても良く、本明細書に記載された実施形態に限定されると解釈されるものではなく、むしろ、これらの実施形態は、徹底性及び完全性の為に提供され、本発明の範囲を当業者に十分に伝える。
【００２３】
図１ａ及び図１ｂは、本発明の実施形態による発光装置の一般構造を示す。発光装置１００は、適切な支持体（不図示）上に配置された光源１０１を含む。光源から光出力方向に（但し、光源から一定の距離に）、波長変換部材１０２が設けられる。光源に対して波長変換部材の反対側（即ち、光路の下流）に、狭帯域反射器１０３が設けられる。
【００２４】
動作中、光源は、第１の波長領域の光Ｌ１、例えば青色光を発する。光Ｌ１は、光Ｌ１の少なくとも一部をＬ２で示される第２の波長領域の光に変換する波長変換部材によって受け取られる。光Ｌ２は、狭帯域反射器１０３によって受け取られる。図１ａにおいてラインスクリーンとして使用して示される第１の状態では、狭帯域反射器１０３は、反射される狭いサブレンジＲ１を除いて、第２の波長領域の光Ｌ２の大部分を透過する。従って、第１の状態では、狭帯域反射器は、光Ｌ３（Ｌ３＝Ｌ２−Ｒ１）を透過する。
【００２５】
図１ｂは、狭帯域反射器１０３が、図１ｂにおいて高密度スクリーンパターンによって示される第２の状態へと切り替えられた発光装置１００を示す。第２の状態では、狭帯域反射器は、領域Ｒ１の代わりに、狭いサブレンジＲ２を反射する。従って、第２の状態では、発光装置からの全発光光Ｌ４は、第１の状態中に発せられた光Ｌ３とはスペクトル組成が異なる（Ｌ４＝Ｌ２−Ｒ２）。
【００２６】
通常、第１の状態において、領域Ｒ１の光が反射される一方で、波長領域Ｒ２の光は透過され得る。同様に、第２の状態では、領域Ｒ２の光が反射される一方で、波長領域Ｒ１の光は透過され得る。
【００２７】
図２ａ〜ｃ及び図３ａ〜ｃは、本発明の実施形態による発光装置によって生み出された光のスペクトル組成例を概略的に示す。図２ａ及び図３ａは、光源１０１によって発せられた光Ｌ１及び波長変換部材１０２によって生み出された変換光Ｌ２の光強度スペクトルを各々示す。
【００２８】
図２ｂは、第１の状態において狭帯域反射器１０３によって反射された光Ｒ１の光強度スペクトルを示す。図２ｃは、第１の状態において狭帯域反射器によって透過された後の発光装置から出射する光Ｌ３の光強度スペクトルを示す。図に示される様に、出力スペクトルは、狭帯域反射器によって反射された光Ｒ１に対応する波長において不足する。この特定の出力スペクトルを有する発光装置は、緑色を犠牲にして、黄色を増強する為に使用され得る。従って、第１の状態において、この発光装置は、バナナ等の黄色い対象物の照明を行うのに適し得る。
【００２９】
一方、図３ｂは、第２の状態において狭帯域反射器１０３によって反射された光Ｒ２の光強度スペクトルを示す。従って、図３ｃは、第２の状態において狭帯域反射器によって透過された後の発光装置から出射する光Ｌ４の光強度スペクトルを示す。図に示される様に、出力スペクトルは、狭帯域反射器によって反射された光Ｒ２に対応する波長において不足する。従って、第２の状態において、この発光装置は、トマト等の赤い対象物の色を増強する為に、任意選択的にフィルタと組み合わせて使用され得る。
【００３０】
狭帯域反射器１０３は、第１のサブレンジＲ１の光を反射する第１の状態と、第２のサブレンジＲ２の光を反射し得る第２の状態との間で可逆的に切り替え可能である。第１及び第２のサブレンジは、一般的に、可視光スペクトル内の狭い領域である。狭帯域反射器によって反射されたサブレンジの帯域幅は、通常１００ｎｍ以下であり、好ましくは５０ｎｍ以下である。従って、サブレンジＲ１及び任意選択的にサブレンジＲ２は、一般的に、１００ｎｍ、好ましくは、５０ｎｍを超えて延在しない。
【００３１】
前記第１の状態と前記第２の状態との間の切り替えは、ユーザによって行うことができ、一般的には、照明される特定の対象物に対して行われる。この切り替えは、機械的でも電気的でも良い。図４ａ〜ｂは、機械的切り替えの概念を示す。図４ａでは、狭帯域反射器１０３は第１の状態にある。機械的に切り替え可能な実施形態の狭帯域反射器は、通常、異なる反射特性を有する２つの部分１０３ａ、１０３ｂを含む。特に、部分１０３ａは、Ｒ１で示される第１のサブレンジの光を反射することができる。従って、図４ａに見られる様に、部分１０３ａが光源及び波長変換部材から光出力方向に位置付けられる場合（ここでは、波長変換部材の前）、狭帯域反射器は、第１の状態にあると言われる。一方、第２の部分１０３ｂは、Ｒ２で示される異なるサブレンジの光を反射することができる。図４ｂに示される様に、第１の部分１０３ａではなく、第２の部分１０３ｂが、光源及び波長変換部材から光出力方向に位置付けられる場合、狭帯域反射器は、第２の状態にあると言われる。狭帯域反射器は、図４ａ及び図４ｂにそれぞれ示される２つの位置間で機械的にシフト、例えば横方向にスライドされ得る。
【００３２】
第１の状態及び第２の状態間で狭帯域反射器を切り替える為の別の概念が、図５ａ〜ｂによって示される。この様な実施形態において、狭帯域反射器は、電気的に制御可能な特性、多くの場合電気的に制御可能な光学特性を有する材料を含む。更なる詳細及び例は、以下の通りである。狭帯域反射器１０４は、電圧源に接続される。印加電圧がない場合（Ｕ＝０）は、狭帯域反射器は、全ての可視波長を等しく透過し得るか可視光の第１のサブレンジＲ１を反射し得るかの何れかである。従って、印加電圧がない場合、狭帯域反射器は、第１の状態にある。図５ｂによって示される電圧の印加時には、狭帯域反射器は、代わりに別のサブレンジＲ２の光を反射する。従って、印加電圧において、狭帯域反射器は、第２の状態にある。代替的に、印加電圧がない場合は、狭帯域反射器１０４は、第１のサブレンジを反射しても良く、印加電圧に応じて透過性となっても良い。
【００３３】
更に、狭帯域反射器が、異なる電圧で第３のサブレンジＲ３の光を反射する第３の状態、第４のサブレンジＲ４の光を反射する第４の状態等にあり得るように、異なる電圧で異なる反射特性を有し得ることが考えられる。
【００３４】
図６〜１０は、第１の状態と第２の状態、並びに任意選択的に第３の状態、第４の状態等の間の機械的切り替えを利用した様々な実施形態を示す。図６に示される様に、狭帯域反射器１０３は、種々異なる反射特性を持ち、各々が特定のサブレンジが反射される状態を示す３つの部分１０３ａ、１０３ｂ、１０３ｃを含んでも良い。従って、この様な狭帯域反射器を用いると、狭帯域反射器は、少なくとも３つの状態を有し得る。機械的に切り替え可能な狭帯域反射器が第１の位置と第２の位置との間で、第２の位置と第３の位置との間で部分的に切り替えられても良く、従って、多くの可能な中間位置（追加の状態を示す）を提供することも可能である。
【００３５】
機械的に切り替え可能な狭帯域反射器は、干渉フィルタ又はダイクロイックフィルタ等の光学フィルタ、フォトニックギャップ材料等を含んでも良い。
【００３６】
図７は、４つの異なる部分１０３ａ、１０３ｂ、１０３ｃ、１０３ｄを有する発光装置の斜視図であり、４つの異なる部分は、前記部分の各々が光源及び波長変換部材から光出力方向に位置付けられることができるように機械的にシフトされ得る。
【００３７】
図８は、所謂画素化された狭帯域反射器を含む発光装置の実施形態を示す。この実施形態では、狭帯域反射器は、種々異なる反射特性を有する複数の部分１０３ａ、１０３ｂ、１０３ｃ、１０３ｄ、１０３ｅを含む。少なくとも２つ、例えば少なくとも３つ（図８に示される様に）の部分が同時に光源及び波長変換部材から光出力方向に位置付けられ得る。従って、第１の状態では、狭帯域反射器は、複数（例えば２つ又は３つ）のサブレンジの光を反射し得る。この様な実施形態では、第２の状態及び何れの更なる状態においても、狭帯域反射器は、少なくとも１つのサブレンジに関して第１の状態又は前述の何れの状態とも異なる第２の複数のサブレンジの光を反射し得る。図４ａ〜ｂ、図６及び図７の狭帯域反射器もまた、２つの部分１０３ａ、１０３ｂの一部が同時に光源及び波長変換部材から光出力方向に位置付けられ、第３の状態において、狭帯域反射器から反射された光が、反射された量（強度）に対して任意選択的に異なる割合で２つのサブレンジＲ１及びＲ２を含むように、部分的にシフトされ得ることが考えられる。図６の実施形態の場合、第４の状態は、部分１０３ｂ、１０３ｃの一部が共に光源及び波長変換部材から光出力方向に位置付けられることを表すことも可能で、第４の状態においては、第２のサブレンジＲ２及び第３のサブレンジＲ３の光が反射され得る。
【００３８】
図９に示された別の実施形態では、狭帯域反射器は、異なる反射特性を有する光出力方向に積層された少なくとも２つの層１０５、１０６を含む。従って、狭帯域反射器の部分１０３ａは、層１０５ａ及び層１０６ａを含み得る。同様に、部分１０３ｂは、層部分１０５ｂ及び層部分１０６ｂを含み得る。層部分１０５ａ、１０５ｂは、同じ又は異なる反射特性を有していても良い。層部分１０６ａ、１０６ｂもまた、同じ又は異なる反射特性を有していても良い。しかしながら、通常は、１０５ａ〜１０５ｂ及び１０６ａ〜１０６ｂの少なくとも一方間に反射特性の多少の差が存在する。
【００３９】
図１０に示された更に別の実施形態では、層スタックから成る狭帯域反射器を使用する代わりに、光源及び波長変換部材から光出力方向に配置された２つの狭帯域反射器１０３’、１０３’’が使用され得る。狭帯域反射器１０３’、１０３’’の各々は、異なる反射特性を有する上記の様な少なくとも２つの部分を含む。狭帯域反射器１０３’、１０３’’は、異なる位置間で個々にシフトされ得る。従って、波長変換部材の前に位置付けられる部分のどの様な組み合わせも、特定のサブレンジの光が反射される状態を示し得る。例えば、狭帯域反射器１０３’、１０３’’の各々が２つの部分を含む場合、狭帯域反射器は、少なくとも４つの異なる状態を提供し得る。狭帯域反射器１０３’、１０３’’は、必ずしも、同数又は同パターンの種々異なる反射特性を有する部分を有する必要はない。反射器１０３’、１０３’’の各々は、図４ａ〜ｂ、図６、図７又は図８の何れか１つを参照して説明した通りのものでも良い。
【００４０】
電気的切り替えを利用した更なる実施形態が、図１１、図１２及び図１３ａ〜ｂを参照してこれより説明される。
【００４１】
図１１は、２つの電気的に制御可能な狭帯域反射器１０４’、１０４’’のスタックを含む発光装置を示す。狭帯域反射器１０４’、１０４’’は、個々に制御可能で、別個の電圧源に接続されても良い。代替的に、図１２に示される様に、電気的に切り替え可能な狭帯域反射器は、異なる、任意選択的に個々に制御可能な部分１０４ａ、１０４ｂを含み得る。前記部分１０４ａ、１０４ｂの各々は、電圧源に接続される。狭帯域反射器が少なくとも２種類の領域１０４ａ、１０４ｂの繰り返しパターンを有し、従って画素化された狭帯域反射器を形成し得ることが考えられる。
【００４２】
本発明の複数の実施形態において、電気的に切り替え可能な狭帯域反射器は、電気的に制御可能な光学特性を有する材料を含み得る。例は、液晶材料及びエレクトロクロミック材料を含む。例えば、一部の実施形態において、狭帯域反射器は、電圧源に接続された２つの光学的に透明な電極間に挟持された、液晶材料（例えばコレステリック液晶材料）を含む液晶セルでも良い。電界印加時には、液晶分子が透過状態から反射状態へ、又はその逆に切り替えられる。
【００４３】
ある実施形態例では、電気的に切り替え可能な狭帯域反射器は、コレステリック液晶材料、一般的にゲルを含む。コレステリック液晶材料は、透過状態と反射状態との間で切り替えられることが可能である。カイラルネマチック液晶としても知られるコレステリック液晶は、異なるダイレクタ軸を有する分子の層から形成され、その結果、螺旋構造が生じる。反射波長は、螺旋のピッチに依存する。コレステリック液晶材料のピッチは、分子の種類に依存し得る、及び場合によっては更に、ＵＶ照射条件によって製造中に制御され得る。有利には、コレステリック液晶ゲルは、異なる反射特性を有する（通常、異なる波長を反射することができる）少なくとも２種類の領域１０４ａ、１０４ｂの繰り返しパターンを有する画素化された狭帯域反射器に使用され得る。
【００４４】
代替的に、本発明に関する複数の実施形態において、電気的に切り替え可能な狭帯域反射器は、フォトニック結晶を含み得る。均一なパターンで積層されたフォトニック結晶構造又は粒子は、光がこれらの構造又は粒子によって偏向されると、光の干渉を生じさせる。その結果、光の特定の波長が反射される。フォトニック結晶構造の反射及び透過特性は、隣接する構造又は粒子同士の距離を変化させることによって調整され得る。前記距離は、電界に応じて異なり得るので、反射特性は、電圧源を用いて電気的に制御することができる。例えば、フォトニックインク等のフォトニック結晶構造は、可視スペクトルの何れの波長をも反射するように増加電圧（例えば、０Ｖから約２Ｖへ）を印加することによって電気的に制御することができる。
【００４５】
代替的に、電気的に切り替え可能な狭帯域反射器１０４は、エレクトロクロミック材料を含んでも良い。
【００４６】
他の実施形態では、電気的に切り替え可能な狭帯域反射器は、電気的に制御可能なロールブラインドデバイス１０７を含んでも良い。この様なロールブラインドデバイスは、図１３ａ〜ｂに示される様に、波長変換部材上に直接配置されても良い。
【００４７】
電気的に制御されたロールブラインド又はロール可能な電極が当該分野で公知である。一般的に、この様なデバイスは、電圧源（不図示）に接続された第１の透明電極層が上に配置される平面基板を含む。絶縁透明誘電体層が第１の透明電極上に配置される。ロールブラインドは、一般的に自己支持膜から形成された、可撓性のある光学機能層を含む。ロールブラインドの誘電体層に対向することが意図された側において、光学機能層が第２の電極層でコーティングされる。ロールブラインドは、自然に巻かれた構造を有し、電位の印加に応じて可逆的に広げられ得る。広げられた平面構造では、ロールブラインドは、その巻かれた構造と比較して、基板のより大きな部分を覆う。電位が取り除かれると、ロールブラインドは、固有応力により、元の巻かれた構造を再び取る。本発明の下では、可撓性のある光学機能層は、広げられた状態において、ロールブラインドがサブレンジＲ１の光を反射する様な反射特性を有する。
【００４８】
電気的に切り替え可能な狭帯域反射器を含む実施形態において、発光装置は、通常、電圧源に接続され、ユーザが手動で又は自動的に、電気的に切り替え可能な狭帯域反射器に供給される電圧を制御すること、従ってその切り替えを制御することを可能にする制御手段も含む。
【００４９】
発光装置は、光学素子、例えば、反射器、拡散器、レンズ、光混合室等を更に含んでも良い。例えば、一部の実施形態では、発光装置は、狭帯域反射器によって受け取られる光の角度分布を選択する為に、波長変換部材と狭帯域反射器との間に配置されたコリメータを含んでも良い。
【００５０】
特に、一部の実施形態では、発光装置は、図１４に示される様に、光出力方向において狭帯域反射器からの光路に配置された少なくとも１つの拡散器１０８を含み得る。拡散器１０８は、当該分野で公知の任意の適切な拡散器でも良い。適切な拡散器の例は、ＴｉＯ２若しくはＡｌ２Ｏ３の粒子等の散乱粒子、孔若しくは空洞を含むプラスチック拡散器、及び光を拡散するように構成された表面構造を有する基板を含む。代替的に、透過型拡散器の代わりに、拡散反射器１１１が使用されても良い。拡散反射器は、図１６に示される様に、狭帯域反射器に対して角度が付けられても良い。
【００５１】
図１５に示される本発明の実施形態では、発光装置は、狭帯域反射器から光出力方向に設けられた光混合室１０９を含んでも良い。光混合室は、少なくとも１つの反射壁１１０及び拡散器１０８が配置される光出射窓によって規定される。
【００５２】
拡散器、拡散反射器及び／又は光混合室は、電気的に切り替え可能な狭帯域反射器１０４の代わりに、機械的に切り替え可能な狭帯域反射器と組み合わせて使用されても良いことが留意される。
【００５３】
更なる調整機能及び改善されたスペクトル調整を提供する為に、発光装置は、狭帯域反射器から出射する光のスペクトル組成を測定する光センサを更に含んでも良い。例えば、光センサ１１２は、図１７に示される様に、光混合室１０９内の光を測定する為に配置されても良い。光センサ１１２は、制御装置１１３に接続されて、それと通信しても良く、制御装置１１３は次に、電気的に切り替え可能な狭帯域反射器１０４に電圧を供給する電圧源に接続され、それを制御しても良い。従って、狭帯域反射器は、予め設定された望ましいスペクトル組成を達成する為に自動的に調整され得る。
【００５４】
一部の実施形態では、発光装置は、発光装置によって照明された、又は照明される予定の対象物から反射された光を含む、発光装置の外で、光スペクトルを測定するように構成された外部光センサを更に含み得る。この第２の光センサは、制御装置に接続されても良く、この制御装置は次に、狭帯域反射器の切り替えに関与する電圧源に接続され、それを制御しても良い。この制御装置は、光センサ１１２が接続されるのと同じ制御装置１１３でも良い。従って、狭帯域反射器と、従って出力光とは、照明される対象物の反射特性（色）にも基づいて自動的に調整され得る。
【００５５】
本発明の発光装置の光源は、通常、発光ダイオード（ＬＥＤ）、有機発光ダイオード（ＯＬＥＤ:organic light emitting diode）又はレーザダイオード等の固体光源である。好ましくは、光源によって発せられた第１の波長領域の光は、約３００ｎｍ〜約５００ｎｍの波長領域にある。一部の実施形態では、光源は、ＧａＮ又はＩｎＧａＮをベースとしたＬＥＤ等の青色発光ＬＥＤである。
【００５６】
波長変換部材は、光源の発光波長を十分に考慮して選択される。波長変換部材は、通常、光源に対して離れた場所に配置されるが（所謂リモート蛍光体構造）、波長変換部材が光源上又は付近に直接配置（所謂近接構造）され得ることも考えられる。
【００５７】
波長変換部材は、少なくとも１つの発光材料を含む。本発明の複数の実施形態では、波長変換部材は、単一の本体に組み込まれた、又は異なる波長変換特性を有する別個の領域を形成するように分離された複数の波長変換部材を含み得る。例えば、波長変換部材は、各々が少なくとも１つの発光材料を含む複数の積層された波長変換層を含み得る。代替的に、波長変換部材は、種々異なる発光材料又は発光材料の種々異なる組成を含む少なくとも２種類の複数の面内領域を含み得る（所謂画素化された蛍光体）。
【００５８】
発光材料は、無機蛍光体材料、有機蛍光体材料、及び／又は量子ドットでも良い。無機波長変換材料の例は、限定されないが、セリウム（Ｃｅ）ドープＹＡＧ（Ｙ３Ａｌ５Ｏ１２）又はＬｕＡＧ（Ｌｕ３Ａｌ５Ｏ１２）を含み得る。ＣｅドープＹＡＧは、黄色がかった光を発し、ＣｅドープＬｕＡＧは、黄緑色がかった光を発する。赤色光を発する他の無機蛍光体材料の例は、限定されないが、ＥＣＡＳ（Ｃａ１−ｘＡｌＳｉＮ３：Ｅｕｘであり、０＜ｘ≦１、好ましくは０＜ｘ≦０．２であるＥＣＡＳ）及びＢＳＳＮ（Ｂａ２−ｘ−ｚＭｘＳｉ５−ｙＡｌｙＮ８−ｙＯｙ：Ｅｕｚであり、ＭがＳｒ又はＣａを表し、０≦ｘ≦１、好ましくは０≦ｘ≦０．２、０≦ｙ≦４、及び０．０００５≦ｚ≦０．０５であるＢＳＳＮＥ）を含み得る。適切な有機波長変換材料の例は、ペリレン誘導体に基づいた有機発光材料、例えばBASFによってLumogen（登録商標）という名称で販売される化合物である。適切な化合物の例は、限定されないが、Lumogen（登録商標）Red F305、Lumogen（登録商標）Orange F240、Lumogen（登録商標）Yellow F083、及びLumogen（登録商標）F170を含む。
【００５９】
有機又は特定の無機波長変換材料は、一般的に、キャリア材料（一般的にポリマーマトリックス）中に包含される。特定の無機蛍光体の場合、蛍光体粒子は、キャリア材料中に分散され得る。有機発光材料の場合、有機発光材料は、一般的に、キャリアに分子的に溶解される。適切なキャリア材料の例は、ポリメチルメタクリレート（ＰＭＭＡ）、ポリエチレンテレフタレート（ＰＥＴ）、ポリエチレンナフタレート（ＰＥＮ）、及びポリカーボネート（ＰＣ）を含む。
【００６０】
一部の実施形態では、波長変換材料は、量子ドット又は量子ロッドを含み得る。量子ドットは、概して、僅か数ナノメートルの幅又は直径を有する半導体材料の小さな結晶である。入射光によって励起されると、量子ドットは、結晶の大きさ及び材料によって決定された色の光を発する。従って、ドットの大きさを適合させることによって、特定の色の光を生成することができる。可視領域での発光で最も良く知られた量子ドットは、硫化カドミウム（ＣｄＳ）及び硫化亜鉛（ＺｎＳ）等の殻を有するセレン化カドミウム（ＣｄＳｅ）に基づく。リン化インジウム（ＩｎＰ）、並びに硫化銅インジウム（ＣｕＩｎＳ２）及び／又は硫化銀インジウム（ＡｇＩｎＳ２）等のカドミウムを含まない量子ドットも使用することができる。量子ドットは、非常に狭い発光帯を示し、従って、それらは飽和色を示す。更に、発光色は、量子ドットの大きさを適合させることによって簡単に調整することができる。従って、本発明の実施形態において、量子ドットは、１つ又は複数の狭い発光帯を有する光、即ち、かなり狭い第２の波長領域又は複数の狭い領域の光を生成する為に使用され得る。この様な実施形態では、狭帯域反射器は、狭く、明確に定義された色組成を有する出力光を生成する為に、第２の波長領域のかなりの部分を反射し得る。
【００６１】
当該分野で公知の何れの種類の量子ドットも、それが適切な波長変換特性を有する場合、本発明において使用することができる。しかしながら、環境上の安全及び懸念から、カドミウムを含まない量子ドット又は少なくとも非常に低いカドミウム含有量を有する量子ドットを使用することが望ましい場合がある。
【００６２】
本発明の発光装置は、例えば、小売店や展示会等の商業環境において対象物の特殊照明の為、又は芸術的若しくは装飾目的で、頭上位置、壁若しくは天井に取り付けられるか、吊るされる照明器具において有用となり得る。
【００６３】
当業者は、本発明が決して上記の好適な実施形態に限定されないことを理解する。それどころか、添付のクレームの範囲内で多くの修正及び変更が可能である。例えば、発光装置は、各光源が別の波長変換部材及び／又は狭帯域反射器に関連付けられた複数の光源を含み得る。代替的に、複数の光源が、単一の波長変換部材が複数の光源によって発せられた光を受け取るように配置されても良い。
【００６４】
更に、開示された実施形態に対する変更は、本願発明を実践する当業者によって、図面、開示内容、及び添付の特許請求の範囲の検討から理解及び達成することができる。特許請求の範囲において、「含む」（「comprising」）という単語は、他の要素又はステップを排除せず、不定冠詞「a」も「an」も、複数を排除しない。特定の手段が互いに異なる従属クレームに記載されるという単なる事実は、これらの手段の組み合わせを有利には使用できないことを示すものではない。
【図１ａ】
0006265920.tif 000002
【図１ｂ】
0006265920.tif 000003
【図２ａ】
0006265920.tif 000004
【図２ｂ】
0006265920.tif 000005
【図２ｃ】
0006265920.tif 000006
【図３ａ】
0006265920.tif 000007
【図３ｂ】
0006265920.tif 000008
【図３ｃ】
0006265920.tif 000009
【図４ａ】
0006265920.tif 000010
【図４ｂ】
0006265920.tif 000011
【図５ａ】
0006265920.tif 000012
【図５ｂ】
0006265920.tif 000013
【図６】
0006265920.tif 000014
【図７】
0006265920.tif 000015
【図８】
0006265920.tif 000016
【図９】
0006265920.tif 000017
【図１０】
0006265920.tif 000018
【図１１】
0006265920.tif 000019
【図１２】
0006265920.tif 000020
【図１３ａ】
0006265920.tif 000021
【図１３ｂ】
0006265920.tif 000022
【図１４】
0006265920.tif 000023
【図１５】
0006265920.tif 000024
【図１６】
0006265920.tif 000025
【図１７】
0006265920.tif 000026